(57)【要約】【課題】使い勝手を向上させることができるマスクを提供する。【解決手段】マスク１は、マスク本体１０と、紐状部材２０とを備える。マスク本体１０は、マスクユーザの鼻と口とを覆うことが可能に設けられている。紐状部材２０は、マスク本体１０に組み付けられ、マスク本体１０を着用したマスクユーザの顔に結び付けられることにより、マスク本体１０と顔との間において、鼻９１を覆う鼻配置空間Ｓ１と、口９２を覆う口配置空間Ｓ２とに隔てるためのものである。【選択図】図６
0003232391.tif 000002
【実用新案登録請求の範囲】
【請求項１】
マスクユーザの鼻と口とを覆うことが可能に設けられているマスク本体と、
前記マスク本体に組み付けられ、前記マスク本体を着用した前記マスクユーザの顔に結び付けられることにより、前記マスク本体と前記顔との間において、前記鼻を覆う鼻配置空間と、前記口を覆う口配置空間とに隔てるための紐状部材と、
を備える、マスク。
【請求項２】
前記マスク本体には、前記マスクユーザに着用された場合の前記マスク本体の上下方向の中央から下端に線状に形成されると共に、開閉することで前記口を外部に露出させることが可能な第１開閉部が形成されている、請求項１に記載のマスク。
【請求項３】
前記第１開閉部は、線ファスナーによって形成されている、請求項２に記載のマスク。
【請求項４】
前記マスク本体の素材と同じ素材により形成されていると共に、前記第１開閉部を覆うことが可能な覆い部を備える、請求項２又は３に記載のマスク。
【請求項５】
前記マスク本体に取り付けられると共に、前記マスク本体に対して、前記マスクユーザに着用された場合の前記マスク本体の左右方向に摺動可能に前記紐状部材を前記マスク本体に対して支持する支持部材を備える、請求項１から４のいずれか一項に記載のマスク。
【請求項６】
前記マスク本体には、前記マスクユーザに着用された場合の前記マスク本体の上下方向の中央から上端に線状に形成されると共に、開閉することで前記鼻を外部に露出させることが可能な第２開閉部が形成されている、請求項１から５のいずれか一項に記載のマスク。
【考案の詳細な説明】
【技術分野】
【０００１】
本考案は、マスクに関する。
【背景技術】
【０００２】
特許文献１には、マスク本体と顔との間に空間を形成することが可能な構成を備えるマスクが開示されている。特許文献１に記載のマスクにおいては、この空間が形成されることにより、マスクユーザが息苦しくなることを防止している。
【先行技術文献】
【特許文献】
【０００３】
【特許文献１】登録実用新案第３２３１０６１号公報
【考案の概要】
【考案が解決しようとする課題】
【０００４】
特許文献１に記載のマスクにおいては、マスクユーザがマスクを着用した場合に、鼻と口との間に隔てるものがないため、鼻と口とが、マスク本体と顔との間において一つの空間に配置される。これにより、鼻息が口にかかったり、口から吸いこんだり吐いたりする空気が鼻にかかったりすることがある。このため、マスクユーザにとって、さらに使い勝手を向上させる余地がある。
【０００５】
本考案は、上述の事情の下になされたもので、使い勝手を向上させることができるマスクを提供することを目的とする。
【課題を解決するための手段】
【０００６】
上述の目的を達成するために、本考案に係るマスクは、
マスクユーザの鼻と口とを覆うことが可能に設けられているマスク本体と、
前記マスク本体に組み付けられ、前記マスク本体を着用した前記マスクユーザの顔に結び付けられることにより、前記マスク本体と前記顔との間において、前記鼻を覆う鼻配置空間と、前記口を覆う口配置空間とに隔てるための紐状部材と、
を備える。
【０００７】
前記マスク本体には、前記マスクユーザに着用された場合の前記マスク本体の上下方向の中央から下端に線状に形成されると共に、開閉することで前記口を外部に露出させることが可能な第１開閉部が形成されていてもよい。
【０００８】
前記第１開閉部は、線ファスナーによって形成されていてもよい。
【０００９】
前記マスク本体の素材と同じ素材により形成されていると共に、前記第１開閉部を覆うことが可能な覆い部を備えていてもよい。
【００１０】
前記マスク本体に取り付けられると共に、前記マスク本体に対して、前記マスクユーザに着用された場合の前記マスク本体の左右方向に摺動可能に前記紐状部材を前記マスク本体に対して支持する支持部材を備えていてもよい。
【００１１】
前記マスク本体には、前記マスクユーザに着用された場合の前記マスク本体の上下方向の中央から上端に線状に形成されると共に、開閉することで前記鼻を外部に露出させることが可能な第２開閉部が形成されていてもよい。
【考案の効果】
【００１２】
本考案に係るマスクにおいては、マスク本体を着用したマスクユーザの顔に紐状部材を結び付けることにより、マスク本体と顔との間において、紐状部材が鼻を覆う鼻配置空間と口を覆う口配置空間とに隔てることができる。このため、マスクユーザがマスクを使用している際に、鼻息が口にかかったり、口から吸いこんだり吐いたりする空気が鼻にかかったりすることを抑制することができる。これにより、使い勝手を向上させることができる。
【図面の簡単な説明】
【００１３】
【図１】本考案の実施の形態１に係るマスクの斜視図である。
【図２】実施の形態１に係るマスクの正面図である。
【図３】実施の形態１に係るマスクの一部を拡大して示した正面図である。
【図４】（Ａ）は、マスクユーザが着用している場合のマスクの第１開閉部の機能を説明するための正面図（その１）である。（Ｂ）は、マスクユーザが着用している場合のマスクの第１開閉部の機能を説明するための正面図（その２）である。
【図５】マスクユーザが着用している場合のマスクの側面図である。
【図６】マスクユーザが着用している場合のマスクの紐状部材の機能を説明するための側面図である。
【図７】マスクユーザが着用している場合のマスクの紐状部材の効果を説明するためのマスクの断面図である。
【図８】マスクユーザが着用している場合のマスクの紐状部材の効果を説明するための側面図である。
【図９】（Ａ）は、実施の形態２に係るマスクの正面図（その１）である。（Ｂ）は、実施の形態２に係るマスクの正面図（その２）である。
【図１０】実施の形態３に係るマスクの正面図である。
【図１１】実施の形態４に係るマスクの正面図である。
【図１２】実施の形態１に係るマスクを写真で示した正面図である。
【考案を実施するための形態】
【００１４】
実施の形態１．
以下、本考案の実施の形態１に係るマスク１及びその着用方法について、図を用いて説明する。なお、理解を容易にするために、相互に直交するＸＹＺ座標を設定し、適宜参照する。本実施の形態１において、Ｚ軸方向は、マスクユーザの顔にマスク１を着用した場合の上下方向に相当し、Ｘ軸方向は、左右方向に相当する。
【００１５】
マスク１は、図１、図２及び図１２に示すように、例えば、風邪や花粉症の対策で日常に使用される衛生マスクである。しかしながら、これに限られない。マスク１は、スポーツで使用されるマスクや、農作業用のマスク、日よけ対策用マスクであってもよい。このマスク１は、マスク本体１０と、紐状部材２０と、支持部材３０と、耳掛け部４０とを備える。
【００１６】
マスク本体１０は、図２及び図３に示すように、マスクユーザの顔下半分を覆うことができるように左右方向にやや長い略矩形の形状に形成されている。マスク本体１０は、上下方向の長さが左右方向の中央で最も長く、左右方向の両端に向かうに従って徐々に小さく形成されている。このマスク本体１０は、例えば、不織布、ウレタン樹脂材の布地で形成されている。マスク本体１０は、不繊布としてナイロンスパンボンド、フィルターとしてポリプロピレンメルトブローが用いられることが好ましい。また、本実施の形態１では、マスク本体１０は、一枚の布地から形成されている。しかしながら、これに限られない。マスク本体１０は、前面側不繊布、フィルター、後面側不繊布の順に３層にシート材を積層して形成されていてもよい。また、具体的な不繊布の素材としては、ポリプロピレンスパンボンド、ポリエチレンスパンボンド、ナイロンスパンボンド等が用いられてもよい。また、フィルターとして、ポリプロピレンメルトブロー、レーヨンスパンボンド等が用いられてもよい。また、マスクユーザの顔に着用できるものであれば、マスク本体１０は、これら以外の素材、構成で形成されていてもよい。このマスク本体１０には、第１開閉部１１が形成されている。
【００１７】
第１開閉部１１は、マスクユーザに着用された場合のマスク本体１０の上下方向（Ｚ軸方向）の中央１０ａ近傍から下端１０ｂに線状に形成されている。本実施の形態１においては、第１開閉部１１は、エレメント１１ａ（務歯）と、スライダー１１ｂと、引き手１１ｃとを有し、開閉可能な線ファスナーによって形成されている。この第１開閉部１１は、図４の矢印Ａ１のように、開閉することでマスクユーザの口９２を外部に露出させることができるように設けられている。マスク１を着用しているマスクユーザは、例えば、飲食時など必要に応じて、適宜、第１開閉部１１を開くことで、マスクユーザの口９２を露出させることができる。これにより、マスク１を外さないまま飲食できるようになる。
【００１８】
紐状部材２０は、図４に示すように、マスク本体１０に支持部材３０を介して組み付けられている。また、紐状部材２０は、マスク本体１０のマスクユーザの顔と対向する面とは反対側の表側の面（−Ｙ側の面）に組み付けられている。ただし、これに限られない。紐状部材２０は、マスク本体１０のマスクユーザの顔と対向する面である裏側の面（＋Ｙ側の面）に組み付けられていてもよい。しかしながら、この場合、紐状部材２０は、マスク１を着用したマスクユーザの顔に干渉してしまうため、紐状部材２０は、マスク本体１０の表側の面に組み付けられている方が好ましい。図２に示すように、紐状部材２０の一方の端部２０ａ及び他方の端部２０ｂの両端は、紐長さ調整部材２１によって固定されている。また、紐状部材２０の一方の端部２０ａ及び他方の端部２０ｂの両端には、ストラップ２２が接続されている。
【００１９】
紐長さ調整部材２１は、紐状部材２０の一方の端部２０ａ及び他方の端部２０ｂの紐長さを調節することにより、マスクユーザの顔にマスク本体１０を適切に着用するために用いられる。
【００２０】
このように構成されている紐状部材２０は、図５及び図６に示すように、紐長さ調整部材２１によって紐長さを調整されつつ、マスクユーザの顔に結び付けられる。具体的には、マスクユーザが、図６の矢印Ａ２に示すように、紐状部材２０を顔に少し強めに結び付ける。すると、図７に示すように、紐状部材２０は、マスク本体１０とマスクユーザの顔面との間における空間を、マスクユーザの鼻９１を覆う鼻配置空間Ｓ１と、口９２を覆う口配置空間Ｓ２とに隔てることで、２つの空間を形成することができる。紐状部材２０の素材は、例えば、適度に柔軟性のあるものの方が好ましい。しかしながら、紐状部材２０の素材は、任意であり、これに限られるものではない。なお、紐状部材２０の素材は、マスクユーザの顔に結び付けられた際に、マスクユーザが不快に感じないように、皮膚を刺激しない素材である方が好ましい。
【００２１】
支持部材３０は、４つ設けられている。支持部材３０は、樹脂から形成されているものであり、円環状部分を有する形状に形成されている。支持部材３０は、マスク本体１０に縫い付けられていると共に、その円環状部分に紐状部材２０が摺動可能に通されている。これにより、支持部材３０は、マスク本体１０に対して、紐状部材２０が摺動可能に支持する。なお、支持部材３０は、本実施の形態１においては、樹脂から形成されている。しかしながら、これに限られない。支持部材３０は、樹脂以外の素材から形成されていてもよい。例えば、支持部材３０は、マスク本体１０と同等の素材である布地から形成されていてもよい。
【００２２】
耳掛け部４０は、マスク本体１０に接続されている。耳掛け部４０は、マスクユーザの耳に引っ掛けられることで、マスク本体１０をマスクユーザの顔に配置するためのものである。紐状部材２０の素材は、例えば、適度に伸縮性のある素材から形成されている。
【００２３】
次に、このマスク１の着用方法について説明する。
【００２４】
先ず、マスクユーザは、図５に示すように、耳掛け部４０を耳に引っ掛けることにより、マスク本体１０を着用して、マスク本体１０で鼻９１と口９２とを覆う。なお、マスク本体１０を着用する前に、あらかじめ、インナーマスクを着用しておき、インナーマスクに重ねて、マスク本体１０を着用してもよい。この場合、マスク本体１０は、インナーマスクと共に、マスクユーザの鼻９１と口９２とを覆う。
【００２５】
続いて、マスクユーザは、マスク本体１０に組み付けられている紐状部材２０を顔に結び付ける。このとき、マスクユーザは、紐長さ調整部材２１を利用して、紐状部材２０の長さを適宜調整して、紐状部材２０を顔に結び付ける。これにより、図６及び図７に示すように、マスク本体１０とマスクユーザの顔との間において、鼻９１を覆う鼻配置空間Ｓ１と、口９２を覆う口配置空間Ｓ２とに隔てることができる。
【００２６】
以上により、マスクユーザのマスク１の着用が完了する。
【００２７】
以上、説明したように、本実施の形態１に係るマスク１においては、マスク本体１０を着用したマスクユーザの顔に紐状部材２０を結び付けることにより、マスク本体１０と顔との間において、紐状部材２０が鼻配置空間Ｓ１と口配置空間Ｓ２とに隔てる。このため、マスク１では、マスクユーザがマスク１を使用している際に、鼻息が口にかかったり、口から吸いこんだり吐いたりする空気が鼻にかかったりすることを抑制することができる。これにより、マスク１の使い勝手を向上させることができる。
【００２８】
また、本実施の形態１においては、図４に示すように、マスク本体１０に第１開閉部１１が形成されている。この第１開閉部１１は、図４の矢印Ａ１のように、開閉することでマスクユーザの口９２を外部に露出させることができるように設けられている。マスク１を着用しているマスクユーザは、例えば、飲食時など必要に応じて、適宜、第１開閉部１１を開くことで、マスクユーザの口９２を露出させることができる。これにより、マスク１を外さないまま飲食できるようになる。結果として、マスク１の使い勝手を向上させることができる。
【００２９】
また、本実施の形態１においては、図８に示すように、紐状部材２０で携帯電話やスマートフォンなどの通信機器６０をマスクユーザの顔に固定することができる。このため、マスクユーザは手を使用しないハンズフリーの状態で通信機器６０を使用することが可能になる。結果として、マスク１の使い勝手及び利便性を向上させることができる。
【００３０】
実施の形態２．
上記実施の形態１においては、図２及び図３に示すように、マスク本体１０に形成されている第１開閉部１１は外部に露出している。しかしながら、これに限られない。例えば、図９に示す実施の形態２のように、マスク２は、マスク本体１０、紐状部材２０、支持部材３０、及び耳掛け部４０に加えて、さらに、覆い部５０を備えていてもよい。
【００３１】
覆い部５０は、例えば、マスク本体１０を形成する布地と同じ布地から形成され、マスク本体１０に縫い付けられることにより設けられている。覆い部５０は、第１開閉部１１を覆うことが可能に形成されている。覆い部５０は、ユーザが第１開閉部１１を開閉しない場合は、第１開閉部１１を外部に露出しないように覆うため、マスク２の使い勝手を悪化させることなく、マスク２の美観を向上させることができる。
【００３２】
実施の形態３．
上記実施の形態１においては、図２及び図３に示すように、マスク本体１０に、その中央１０ａから下端１０ｂに線状に形成される第１開閉部１１が形成されている。しかしながら、開閉部の構成はこれに限られない。例えば、図１０に示す実施の形態３に係るマスク３のように、マスク本体１０には、その中央１０ａから上端１０ｃに線状に形成される第２開閉部１２が形成されていてもよい。
【００３３】
本実施の形態３においては、第２開閉部１２は、エレメント１２ａ（務歯）と、スライダー１２ｂと、引き手１２ｃとを有し、開閉可能な線ファスナーによって形成されている。この第２開閉部１２は、開閉することでマスクユーザの鼻を外部に露出させることができるように設けられている。マスク３を着用しているマスクユーザは、必要に応じて、適宜、第２開閉部１２を開くことで、マスクユーザの鼻を露出させることができる。これにより、マスク３の使い勝手を向上させることができることができる。
【００３４】
なお、マスク３は、第２開閉部１２を覆う覆い部を備えていないが、これに限らず、覆い部を備えていてもよい。
【００３５】
実施の形態４．
図３に示すように、実施の形態１では、マスク本体１０に第２開閉部１２は形成されていない。また、図１０に示すように、実施の形態３では、マスク本体１０に第１開閉部１１は形成されていない。しかしながら、これに限られない。図１１に示す実施の形態４に係るマスク４のように、マスク本体１０には、第１開閉部１１及び第２開閉部１２の双方が形成されていてもよい。この場合、マスクユーザは、必要に応じて、適宜、第１開閉部１１及び第２開閉部１２のいずれか一方を開いたり、双方を開いたりすることで、さらに、マスク４の使い勝手を向上させることができることができる。
【００３６】
なお、マスク４は、第１開閉部１１及び第２開閉部１２を覆う覆い部を備えていないが、これに限らず、覆い部を備えていてもよい。
【００３７】
その他の実施の形態
上記実施の形態１、３において、第１開閉部１１は、図３及び図１０に示すように、線ファスナーによって形成されている。しかしながら、これに限られない。第１開閉部１１は、マジックテープ（登録商標）などの面ファスナーによって開閉可能に形成されていてもよいし、ボタンを留めることによって開閉可能に形成されていてもよい。また、第１開閉部１１は、それら以外の構成によって形成されていてもよい。
【００３８】
上記実施の形態３、４において、第２開閉部１２は、図１０及び図１１に示すように、線ファスナーによって形成されている。しかしながら、これに限られない。第２開閉部１２は、マジックテープ（登録商標）などの面ファスナーによって開閉可能に形成されていてもよいし、ボタンを留めることによって開閉可能に形成されていてもよい。また、第２開閉部１２は、それら以外の構成によって形成されていてもよい。
【００３９】
また、上記各実施の形態においては、マスク１〜４は、マスク本体１０に紐状部材２０を摺動可能に支持する支持部材３０を備える。しかしながら、これに限られない。マスク本体１０に紐状部材２０を結び付けてもよい。この場合、支持部材３０を割愛することができる。
【００４０】
本考案は、本考案の広義の精神と範囲を逸脱することなく、様々な実施の形態及び変形が可能とされるものである。上述した実施の形態は、本考案を説明するためのものであり、本考案の範囲を限定するものではない。
【符号の説明】
【００４１】
１，２，３，４：マスク
１０：マスク本体
１０ａ：中央
１０ｂ：下端
１０ｃ：上端
１１：第１開閉部
１１ａ：エレメント
１１ｂ：スライダー
１１ｃ：引き手
１２：第２開閉部
１２ａ：エレメント
１２ｂ：スライダー
１２ｃ：引き手
２０：紐状部材
２０ａ，２０ｂ：端部
２１：紐長さ調整部材
２２：ストラップ
３０：支持部材
４０：耳掛け部
５０：覆い部
６０：通信機器
９１：鼻
９２：口
Ａ１，Ａ２：矢印
Ｓ１：鼻配置空間
Ｓ２：口配置空間
【図１】
0003232391.tif 000003
【図２】
0003232391.tif 000004
【図３】
0003232391.tif 000005
【図４】
0003232391.tif 000006
【図５】
0003232391.tif 000007
【図６】
0003232391.tif 000008
【図７】
0003232391.tif 000009
【図８】
0003232391.tif 000010
【図９】
0003232391.tif 000011
【図１０】
0003232391.tif 000012
【図１１】
0003232391.tif 000013
【図１２】
0003232391.tif 000014